(57)【特許請求の範囲】
【請求項１】
光源システムであって、
励起光を生成する光源と、
前記励起光を受容するように配置された色転移装置であって、第１の領域と第２の領域とを有しており、前記第１の領域が２以上の第１のセグメントを有し、前記第２の領域が２以上の第２のセグメントを有し、前記第１の領域と前記第２の領域が同軸に配置され、前記第１の領域が前記励起光の光路に配置され、第１の動作モードで、前記励起光が前記第１の領域に入射し、前記第１の領域の前記２以上の第１のセグメントにより生成された第１の光によって、第１の光シーケンスが生成され、第２の動作モードで、前記第１の光シーケンスがさらに前記第２の領域に入射することにより、前記第２の領域の前記２以上の第２のセグメントにより生成された第２の光によって、第２の光シーケンスが生成され、前記第２の光シーケンスが前記光源システムによって周期的に放射される、色転移装置と、
前記第１の光シーケンスを反射させ、前記第１の光シーケンスを前記第２の領域に入射させ、開口を具えた円弧状の層を具える反射装置と、
前記第１の動作モードと前記第２の動作モードとの間で前記光源システムを切り換える切換装置と、
を具えることを特徴とする光源システム。
【請求項２】
前記励起光が、前記開口を通して前記色転移装置に入射し、
前記色転移装置によって生成される前記第１の光シーケンスが、前記円弧状の層によって反射されることを特徴とする請求項１に記載の光源システム。
【請求項３】
前記第１のセグメントは、原色セグメント又は白色セグメントであり、前記第２のセグメントは、左眼用及び右眼用の原色セグメントを有することを特徴とする請求項１に記載の光源システム。
【請求項４】
前記第１の領域と前記第２の領域が回転軸を中心として同期して回転するように、前記色転移装置を駆動して周期的に移動させる駆動装置をさらに具えることを特徴とする請求項１又は２に記載の光源システム。
【請求項５】
前記第１の領域が有する前記２以上の第１のセグメントが、交互に前記励起光の光路に配置されるように、前記駆動装置が前記色転移装置を駆動して周期的に移動させ、
前記励起光が前記第１の領域に入射し、前記第１の領域が有する前記２以上の第１のセグメントにより交互に生成された第１の光によって、第１の光シーケンスが生成され、前記第１の光シーケンスがさらに前記第２の領域に入射し、前記第２の領域が有する前記２以上の第２のセグメントにより交互に生成された第２の光によって、第２の光シーケンスが生成され、前記第２の光シーケンスが、前記光源システムによって周期的に放射される
ことを特徴とする請求項４に記載の光源システム。
【請求項６】
前記第１のセグメントは、原色セグメント又は白色セグメントであり、前記第２のセグメントは、左眼用及び右眼用の原色セグメントを有することを特徴とする請求項５に記載の光源システム。
【請求項７】
前記色転移装置が、前記第１の領域及び前記第２の領域を有する色相環を具えることを特徴とする請求項４又は５に記載の光源システム。
【請求項８】
前記色転移装置が、第１の色相環と第２の色相環を具え、前記第１の色相環が前記第１の領域を有しており、前記第２の色相環が前記第２の領域を有しており、第１の色相環と第２の色相環が同軸に配置されていることを特徴とする請求項４又は５に記載の光源システム。
【請求項９】
前記第１の領域と前記第２の領域が、それぞれ第１の環状領域及び第２の環状領域として配置され、
前記２以上の第１のセグメントが、前記第１の環状領域の円周方向に沿って配置され、
前記２以上の第２のセグメントが、前記第２の環状領域の円周方向に沿って配置されていることを特徴とする請求項７又は８に記載の光源システム。
【請求項１０】
前記第１の領域が赤色セグメント、緑色セグメント、及び青色セグメントを有し、前記第２の領域が右眼用の赤色セグメント、左眼用の赤色セグメント、右眼用の緑色セグメント、左眼用の緑色セグメント、右眼用の青色セグメント、及び左眼用の青色セグメントを有することを特徴とする請求項９に記載の光源システム。
【請求項１１】
励起光によって前記第１の領域に形成された光点及び前記第１の光シーケンスによって前記第２の領域に形成された光点が、前記色相環の回転軸に対して０度の角度を形成することを特徴とする請求項１０に記載の光源システム。
【請求項１２】
光源システムであって、
励起光を生成する光源と、
前記励起光を受容するように配置された色転移装置であって、第１の領域と第２の領域とを有しており、前記第１の領域が２以上の第１のセグメントを有し、前記第２の領域が２以上の第２のセグメントを有し、前記色転移装置が、前記第１の領域を有する第１の色相環と前記第２の領域を有する第２の色相環を具える色転移装置と、
第１の駆動装置と第２の駆動装置を具える駆動装置であって、前記第１の領域が前記励起光の光路に配置されるように、前記第１の色相環及び前記第２の色相環がそれぞれ前記第１の駆動装置及び前記第２の駆動装置によって駆動され、第１の動作モードで、前記励起光が前記第１の領域に入射し、前記第１の領域の前記２以上の第１のセグメントにより生成された第１の光によって、第１の光シーケンスが生成され、第２の動作モードで、前記第１の光シーケンスがさらに前記第２の領域に入射し、前記第２の領域の前記２以上の第２のセグメントにより生成された第２の光によって、第２の光シーケンスが生成され、前記第２の光シーケンスが前記光源システムによって周期的に放射される、駆動装置と、
前記第１の光シーケンスを反射させ、前記第１の光シーケンスを前記第２の領域に入射させ、開口を具えた円弧状の層を具える反射装置と、
前記第１の動作モードと前記第２の動作モードとの間で前記光源システムを切り換える切換装置と、
を具えることを特徴とする光源システム。
【請求項１３】
前記励起光が、前記開口を通して前記色転移装置に入射し、
前記色転移装置によって生成される前記第１の光シーケンスが、前記円弧状の層によって反射されることを特徴とする請求項１２に記載の光源システム。
【請求項１４】
前記第１のセグメントは、原色セグメント又は白色セグメントであり、前記第２のセグメントは、左眼用及び右眼用の原色セグメントを有することを特徴とする請求項１３に記載の光源システム。
【請求項１５】
請求項１乃至１４のいずれか１項に記載の光源システムを具えることを特徴とする画像投影システム。
【発明の詳細な説明】
【技術分野】
【０００１】
本発明は、光技術に関し、特に、光源システム及び画像投影システムに関するものである。
【背景技術】
【０００２】
多色光シーケンスが、多くの場合、照明及び画像投影ディスプレイに使用される。図１は、従来のシステムを示しており、光源１１からの励起光１２が、集束光学素子１３によって色相環１４に集束される。色相環１４は、いくつかのセグメントを有しており、様々な蛍光体を担持して、励起光を変換光に変換する。色相環１４が駆動装置１３によって駆動されて回転軸１６を中心として回転する時に、これら様々なセグメントを励起光の光路で露光させ、これにより多色の変換光シーケンスを生成し得る。例えば、図２に示すように、赤色セグメントＲ、緑色セグメントＧ、青色セグメントＢ及び白色セグメントＷを有する色相環１４を、励起光１２によって励起させ、赤−緑−青−白のカラー光シーケンスを生成し得る。
【０００３】
図２に示す色相環１４によって生成される赤−緑−青−白の光シーケンスは、白色光の増強の分野で適用され：赤色、青色及び緑色光を使用してカラー画像を生成する一方、白色光を使用して、データ及びダイアグラムを示す時に明るさを改善する。しかしながら、上記の光源システムは、不十分且つ不満足な彩度を有する。ダイナミックなビデオディスプレイといった他のディスプレイへの適用では、ピクチャの彩度が、明るさよりもはるかに重要であるため、白色光の無い赤−緑−青の光シーケンスが、この状況ではより適切である。さらに、２つの異なる多色光シーケンスがステレオ投影機では必要であり、一方は２次元投影ディスプレイ用で、他方は３次元投影ディスプレイ用である。従来の光源システム及び投影装置は、一般に、異なる動作モードにしたがって２つの異なる光シーケンスを与えない。
【０００４】
このため、上記の問題を解決するための光源システム及び画像投影システムが必要とされている。
【発明の概要】
【０００５】
本発明の目的は、異なる動作モードにしたがって２又はそれ以上の光シーケンスを生成し得る光源システム及び画像投影システムを提供することである。
【０００６】
これらの不利益を解決するために、本発明は、励起光を生成する光源と；励起光を吸収する色相環と；駆動装置及び切換装置とを有する光源システムを提供する。色相環は、第１の領域及び第２の領域を有する。第１の領域は、２又はそれ以上の第１のセグメントを有しており、第２の領域は、２又はそれ以上の第２のセグメントを有する。駆動装置は、色相環を駆動して周期的に移動させ、第１の光シーケンスが、光源システムの第１の動作モードで順次第１の光を周期的に放射する２又はそれ以上の第１のセグメントによって生成され、第２の光シーケンスが、光源システムの第２の動作モードで順次第２の光を周期的に放射する２又はそれ以上の第２のセグメントによって生成され、第１の光シーケンスは、第２の光シーケンスとは異なる。切換装置を使用して、第１の動作モード及び第２の動作モード間で光源システムの動作モードの切換を制御する。
【０００７】
これらの不利益を解決するために、本発明は、上記のような光源システムを有する画像投影システムを提供する。
【０００８】
本発明の効果は、従来の技術とは異なり、光源システム及び画像投影システムが、異なる動作モードにしたがって異なる光シーケンスを生成し得ることである。
【図面の簡単な説明】
【０００９】
【図１】図１は、従来の光源システムを示す。
【図２】図２は、図１に示す光源システムに使用される色相環の構造を示す。
【図３】図３は、本発明の第１の実施例に係る光源システムを示す。
【図４】図４は、図３に示す光源システムで使用される色相環の第１の例を示す。
【図５】図５は、図３に示す光源システムで有用な色相環の第２の例を示す。
【図６】図６は、本発明の図３に示す光源システムで有用な色相環の第３の例を示す。
【図７】図７は、本発明の第２の実施例に係る光源システムを示す。
【図８】図８は、本発明の第３の実施例に係る光源システムを示す。
【図９】図９は、本発明の第４の実施例に係る光源システムを示す。
【図１０】図１０は、本発明の第５の実施例に係る２つの異なる光源システムを示す。
【図１１】図１１は、本発明の第５の実施例に係る２つの異なる光源システムを示す。
【図１２】図１２は、図１０及び図１１に示す色相環１０３の第１の例を示す。
【図１３】図１３は、図１０及び図１１に示す色相環１０３の第２の例を示す。
【図１４】図１４は、本発明の第６の実施例に係る２つの光源システムを示す。
【図１５】図１５は、本発明の第６の実施例に係る２つの光源システムを示す。
【図１６】図１６は、図１４及び図１５に示す色相環１４３の第１の例を示す。
【図１７】図１７は、図１４及び図１５に示す色相環１４３の第２の例を示す。
【図１８】図１８は、本発明の第７の実施例に係る２つの光源システムを示す。
【図１９】図１９は、本発明の第７の実施例に係る２つの光源システムを示す。
【図２０】図２０は、図１８及び図１９に示す色相環１８３ａの例を示す。
【図２１】図２１は、図１８及び図１９に示す色相環１８３ｂの例を示す。
【図２２】図２２は、本発明の第８の実施例に係る光源システムを示す。
【発明を実施するための形態】
【００１０】
図３は、本発明の第１の実施例に係る光源システムを示す。図３に示すように、光源システム３０は、励起光の光源３１、集束光学素子３２、色転移装置３３、駆動装置３４及び切換装置３５を有する。
【００１１】
本実施例では、光源３１からの励起光が、集束光学素子３２によって集束され、その後、色相環３３に入射する。励起光は色相環３３によって受容される。色相環３３は駆動装置３４によって駆動され、回転軸３６を中心として回転する。切換装置３５は、回転軸３６と直交する方向に沿って色相環３３及び駆動装置３４を移動させ得る。
【００１２】
図４は、図３に示す光源システムで使用される色相環３３の構造を示す。図４に示すように、色相環３３が、第１の領域４１及び第２の領域４２を有する。第１の領域４１は環状領域であり、周方向に沿って配置された赤色セグメントＲ１、緑色セグメントＧ１、及び青色セグメントＢ１を有する。これら３つのセグメントは、光源３１からの励起光を吸収し、色相環３３を透過する赤色、緑色及び青色光をそれぞれ生成する。第２の領域４２は、第１の領域４１と同心の環状領域であり、周方向に沿って配置された赤色セグメントＲ２、緑色セグメントＧ２、青色セグメントＢ２、及び白色セグメントＷを有する。これら４つのセグメントは、光源３１からの励起光を吸収し、色相環３３を透過する赤色、緑色、青色及び白色光をそれぞれ生成する。第１の領域４１及び第２の領域４２は、色相環３３が回転すると回転軸３６を中心として回転する。
【００１３】
図４に示す実施例では、色転移装置３３が環状である。代替的な実施例では、色転移装置を、駆動装置３４によって駆動されると水平方向に沿って直線的に振動する真っ直ぐな帯状に代えることができる。別の実施例では、色転移装置が円筒状を有しており、駆動装置３４によって駆動されると回転する。色転移装置は他の形状を有してもよく、第１の領域４１及び第２の領域４２の形状を実情に応じて設計すべきである。
【００１４】
光源３１からの励起光は、紫外光又は近紫外光であり、赤色セグメントＲ１及びＲ２が、赤い波長の波長変換材料を含んでおり、緑色セグメントＧ１及びＧ２が、緑の波長の波長変換材料を含んでおり、青色セグメントＢ１及びＢ２が、青い波長の波長変換材料を含んでおり、及び白色セグメントＷが、青い波長の波長変換材料及び黄色い波長の波長変換材料といった、異なる波長の波長変換材料の組み合わせを含んでいる。総てのセグメントは、光源３１からの励起光によって励起されることができ、それぞれの色を具えた光を放射する。光源３１からの励起光が青色光である場合、青色セグメントＢ１及びＢ２が、波長変換なしに青色光を透過するクリアセグメントであり、白色セグメントＷが、青色励起光の一部を黄色い光に変換して、残りの青色励起光と変換された黄色い光との組み合わせとして白色光を生成する黄色い波長の波長変換材料を有する。
【００１５】
光源３０の第１の動作モードでは、切換装置３５が、色相環３３及び駆動装置３４を回転軸３６に直交する方向の適切な位置に調整し、光源３１からの励起光が第１の領域に作用して、光点４３を形成する。色相環３３が、駆動装置３４により周期的に駆動されてその回転軸３６を中心として回転するときに、第１の領域の異なるセグメントＲ１、Ｇ１、Ｂ１が、交互に異なる時間、励起光に露光され、異なる色の光が順次生成される。結果として、赤色、青色及び緑色光の第１の光シーケンスが、光源システム３０によって放射される。光源システム３０の第２の動作モードでは、切換装置３５が、色相環３３及び駆動装置３４を回転軸３６に直交する方向の別の適切な位置に調整し、光源３１からの励起光が第２の領域４２に作用して、光点４４を形成する。色相環３３が、駆動装置３４の駆動によってその回転軸３６を中心として回転するときに、第２の領域４２の異なるセグメントＲ２、Ｇ２、Ｂ２が、異なる時間、励起光に露光され、異なる色の光が順次に生成される。結果として、赤色、青色、緑色及び白色光の第２の光シーケンスが、光源システム３０によって周期的に放射される。
【００１６】
図５は、本発明の色相環３３の第２の例を示す。図５に示すように、色相環３３は、第１の領域５１及び第２の領域５２を有する。第１の領域５１は、赤色セグメントＲ、緑色セグメントＧ及び青色セグメントＢを有しており、励起光によって励起されて、赤色、緑色及び青色光をそれぞれ生成する。第２の領域５２が、右眼用の赤色セグメントＲｒ、左眼用の赤色セグメントＲｌ、右眼用の緑色セグメントＧｒ、左眼用の緑色セグメントＧｌ、右眼用の青色セグメントＢｒ、及び左眼用の青色セグメントＢｌを有しており、励起光によって励起されて、右眼用の赤色光、左眼用の赤色光、右眼用の緑色光、左眼用の緑色
光、右眼用の青色光、及び左眼用の青色光をそれぞれ生成する。右眼用の赤色光、左眼用の赤色光、右眼用の緑色光、左眼用の緑色光、右眼用の青色光、左眼用の青色光は、３次元ディスプレイで適切な方法で区別でき、右眼用及び左眼用のカラー画像をそれぞれ担持するよう使用される、赤色光、緑色光、及び青色光に関する。それらは、いくつかの方法で取得される。
【００１７】
第１の方法は、右眼用及び左眼用の同じカラーセグメントの中に異なる主波長を具えた同じカラー光を生成し得る異なる波長変換材料を設けることである。例えば、６３０ｎｍの主波長を具えた光を生成する赤色の波長変換材料が、右眼用の赤色セグメントＲｒに設けられ、６５０ｎｍの主波長を具えた光を生成する別の赤色の波長変換材料が、左眼用の赤色セグメントＲｌに設けられる。結果として、右眼用の赤色セグメントＲｒが、光源３１からの励起光によって励起され、６３０ｎｍの主波長を具えた光を生成する一方、左眼用の赤色セグメントＲｌが、光源３１からの励起光によって励起され、６５０ｎｍの主波長を具えた光を生成する。これら２つの赤色光は、色相環の下流側のダイクロイックフィルタによって分離される。
【００１８】
第２の方法は、右眼用及び左眼用の同じカラーセグメントの中に同じ波長変換材料を設け、波長変換材料からの光をフィルタリングする異なるダイクロイックフィルタを用いて、同じ色ではあるが異なる主波長の光を取得することである。例えば、６３０ｎｍ乃至６５０ｎｍの範囲の主波長を具えた光を生成し得る赤色の変換材料が、右眼用の赤色セグメントＲｒ及び左眼用の赤色セグメントＲｌに設けられ、６３０ｎｍの主波長を有する赤色光を透過させ得るダイクロイックフィルタが、右眼用の赤色セグメントＲｒに設けられる一方、６５０ｎｍの主波長を有する赤色光を透過させ得るダイクロイックフィルタが、左眼用の赤色セグメントＲｌに設けられる。当然ながら、右眼用及び左眼用のセグメントが、励起光を透過させるセグメント（例えば、青色セグメント）である場合、波長変換材料無しに、これらのセグメントに異なるダイクロイックフィルタを設けることができる。
【００１９】
第３の方法は、右眼用及び左眼用の同じ色のセグメントに異なる偏光子を配置して、色相環の下流側の偏光子によって分離される、異なる偏光状態を具える光を生成することである。
【００２０】
図５に示す色相環を用いた光源３０の第１の動作モードでは、切換装置３５が、色相環３３及び駆動装置３４を回転軸３６に直交する方向の適切な位置に調整し、光源３１からの励起光が第１の領域５１に作用して、光点５３を形成する。色相環３３が、駆動装置３４の駆動によってその回転軸３６を中心として回転するときに、第１の領域における、異なるセグメントＲ、Ｇ、Ｂが、異なる時間で励起光に露光され、異なる色の光が、順次生成される。結果として、赤色、青色及び緑色光の第１の光シーケンスが、光源システム３０によって放射される。図５に示す色相環を用いた光源システム３０の第２の動作モードでは、切換装置３５が、色相環３３及び駆動装置３４を回転軸３６に直交する方向の別の適切な位置に調整し、光源３１からの励起光が第２の領域５２に作用して、光点５４を形成する。色相環３３が、駆動装置３４の駆動によってその回転軸３６を中心として回転するときに、第２の領域５２における、右眼用の赤色セグメントＲｒ、左眼用の赤色セグメントＲｌ、右眼用の緑色セグメントＧｒ、左眼用の緑色セグメントＧｌ、右眼用の青色セグメントＢｒ、左眼用の青色セグメントＢｌが、異なる時間で励起光に露光され、右眼用の赤色光、左眼用の赤色光、右眼用の緑色光、左眼用の緑色光、右眼用の青色光、及び左眼用の青色光を具えた光シーケンスが、順次生成される。結果として、右眼及び左眼に関する第２の光シーケンスが、光源システム３０によって放射される。
【００２１】
図６は、図３に示す色相環の第３の実施例を示す。色相環３３は、第１の領域６１及び第２の領域６２を有する。第１の領域６１は、赤色セグメントＲ、緑色セグメントＧ、青色セグメントＢ、及び白色セグメントＷを有するよう構成されており、第２の領域６２は、右眼用の赤色セグメントＲｒ、左眼用の赤色セグメントＲｌ、右眼用の緑色セグメントＧｒ、左眼用の緑色セグメントＧｌ、右眼用の青色セグメントＢｒ，左眼用の青色セグメントＢｌを有するよう構成されている。
【００２２】
図６に示す色相環を用いた光源３０の第１の動作モードでは、切換装置３５が、色相環３３及び駆動装置３４を回転軸３６に直交する方向の別の適切な位置に調整し、光源３１からの励起光が第１の領域６１に作用して、光点６３を形成する。色相環３３が、駆動装置３４の駆動によってその回転軸３６を中心として回転するときに、第１の領域のＲ、Ｇ、Ｂ、Ｗから成る異なるセグメントが、異なる時間、励起光に露光され、異なる色を順次生成する。赤色、緑色及び青色光の第１の光シーケンスが、光源システムによって周期的に放射される。図６に示す色相環を用いた光源システム３０の第２の動作モードでは、切換装置３５が、色相環３３及び駆動装置３４を回転軸３６に直交する方向の別の適切な位置に調整し、光源３１からの励起光が第２の領域６２に作用して、光点６４を形成する。色相環３３が、駆動装置３４の駆動によってその回転軸３６を中心として回転するときに、第２の領域５２における右眼用の赤色セグメントＲｒ、左眼用の赤色セグメントＲｌ、右眼用の緑色セグメントＧｒ、左眼用の緑色セグメントＧｌ、右眼用の青色セグメントＢｒ、及び左眼用の青色セグメントＢｌが、異なる時間、励起光に露光され、右眼に関する赤色光、左眼に関する赤色光、右眼に関する緑色光、左眼に関する緑色光、右眼に関する青色光、及び左眼に関する青色光を具えた光シーケンスが、順に生成される。結果として、右眼及び左眼に関する第２の光シーケンスが、光源システム３０によって周期的に放射される。
【００２３】
上記の光源３０は、切換装置３５を通して色相環３３の面上における励起光の光点の位置を調整し、異なるセグメントを有する第１の領域及び第２の領域が、異なる動作モードで励起光に露光され、異なる光シーケンスを生成する。上記においては、総ての実施例が、赤色、緑色及び青色の原色に基づいて記載されているが、駆動装置３４により異なるセグメントに周期的に入射する励起光によって異なる光シーケンスを生成し得るように、第１及び第２の領域のそれぞれが少なくとも２色のセグメントを有する限り、他の原色のセットを使用して赤色、緑色及び青色光の代わりとし得る。さらに、上記の実施例では、切換装置３５が、色相環３３の位置を切り換えることにより、第１の動作モード及び第２の動作モードの間で、光源３０の動作モードを切り換えることができる。他の実施例では、切換装置３５が、光源３０に対する励起光の光路を調整することによって、第１の動作モード及び第２の動作モードの間で、光源３０の動作モードを切り換えることができる。例えば、ガルバノミラーシステムを光源３０の励起光の光路に設けることで、励起光が、異なる動作モードで異なる伝播方向を介して色相環３３の異なる領域に作用する。他の実施例では、第１の領域及び第２の領域が、波長変換材料を励起させること以外の他の方法を通して第１の光シーケンス及び第２の光シーケンスを生成する。例えば、第１の領域及び第２の領域が、波長変換材料を使用することなしに、白色光といった励起光のフィルタリングによって、第１の光シーケンス及び第２の光シーケンスを生成する。
【００２４】
図７は、本発明の第２の実施例に係る光源システムを示す。光源システム７０は、励起光の光源７１、集束光学素子７２、色相環７３、駆動装置７４、及び切換装置７５を具える。光源システム７０と図３に示す光源システム３０との差異は、第１のダイクロイックフィルタ７７が、色相環７３の上流側（励起側）に設けられており、第２のダイクロイックフィルタ７８が、色相環７３の下流側に設けられていることである。第１のダイクロイックフィルタ７７により、励起光が第１の光シーケンス及び／又は第２の光シーケンスを通過させ且つ反射させることができ、第２のフィルタ７８が、所定の閾値角度よりも小さい入射角を有する第１の光シーケンス及び／又は第２の光シーケンスを透過させ、所定の角度よりも大きい入射角を有する第１の光シーケンス及び／又は第２の光シーケンスを反射させる。結果として、励起光が第１のダイクロイックフィルタ７７を通過して色相環の材料を励起する一方、色相環によって生成され第１のダイクロイックフィルタ７７に向かって移動する第１の光及び／又は第２の光の部分が、第１のダイクロイックフィルタによって、第２のダイクロイックフィルタ７８に向けて反射する。また、第１の光及び／又は第２の光の他の部分（前進する部分）が、第２のダイクロイックフィルタ７８に向かって進む。第２のダイクロイックフィルタ７８が、所定の角度よりも小さい入射角を有する第１の光シーケンス及び／又は第２の光シーケンス（色相環によって直接放射されるか又は第１のダイクロイックフィルタ７７によって反射されるかのいずれか）を透過させ、より大きな入射角を有する第１の光シーケンス及び／又は第２の光シーケンスを反射させる。第２のダイクロイックフィルタ７８から反射する第１の光シーケンス及び／又は第２の光シーケンスは、色相環７３によって散乱し、第１のダイクロイックフィルタ７７によって反射して第２のダイクロイックフィルタ７８に戻される。このような反射光は、この場合も上記のような形式で入射角に基づいて第２のダイクロイックフィルタ７８によって選択的に透過される。このプロセスが繰り返され、小さな入射角の光が第２のダイクロイックフィルタ７８によって出力される。
【００２５】
この方法を通して、第１の光及び／又は第２の光の出力角が、より小さな範囲に限定され、反射される第１の光シーケンス及び／又は第２の光シーケンスを再利用して、光源システム７０の発光効率を改善できる。代替的な実施例では、第１のダイクロイックフィルタ７７及び第２のダイクロイックフィルタ７８が別々に使用されており、例えば、第２のダイクロイックフィルタ７８が、反射型色相環（以下の実施例で示す）の出力側に設けられている。
【００２６】
図８は、本発明の第３の実施例に係る光源システムを示す。光源システム８０は、励起光の光源８１、集束光学素子８２、色相環８３、駆動装置８４、及び切換装置８５を具える。色相環８３は、２又はそれ以上の第１のセグメントを具えた第１の領域と、図４乃至６に示すカラーセグメント構成といった２又はそれ以上の第２のセグメントを具えた第２の領域とを有するよう構成されており、２つの動作モードで第１の光シーケンス及び／又は第２の光シーケンスを生成する。
【００２７】
光源システム８０と図３に示す光源システム３０との差異は、色相環８３において、第１の領域の第１のセグメントのいくつかが、第１の光シーケンスのいくつかの色を通過させ得る一方、第１の領域の第１のセグメントの他のいくつかが、第１の光シーケンスの他の色を反射させることである。色相環８３を透過する光及び色相環８３によって反射する光は、ダイクロイックフィルタ８６及び８９及び反射鏡８７及び８８を有する光結合装置によって結合される。例えば、色相環８３が図４に示すような構造を有する場合、光源８１からの青色励起光は、集束光学素子８２によって集められ且つ伝えられ、ダイクロイックフィルタ８６を透過して色相環８３に入射する。青色励起光が色相環８３の第１の領域の青色セグメントによって透過する際に、青色励起光が、第１の領域の赤色セグメント及び緑色セグメントによってそれぞれ赤色光及び緑色光に変換され、赤色光及び緑色光が色相環８３によって反射する。色相環を透過する青色励起光は、反射鏡８７及び８８によって反射し、ダイクロイックフィルタ８９を透過する。後進する赤色及び緑色光が、ダイクロイックフィルタ８６によって反射し、その後、ダイクロイックフィルタ８９によって反射する。これにより、ダイクロイックフィルタ８９によって青色励起光及び赤色及び緑色変換光が組み合わさる。同様に、色相環８３の第２の領域の第２のセグメントのいくつかが、第２の光シーケンスのいくつかの色を透過させ、第２のセグメントの他のいくつかが、第２の光シーケンスのいくつかの色を反射する。透過及び反射したこれらの光は、光結合装置８６−８９によって結合される。さらに、光結合装置が、図８に示すものに加え、他の適切な構成を有し得る。
【００２８】
図９は、本発明の第４の実施例に係る光源システムを示す。光源システム９０は、励起光の光源９１、集束光学素子９２、色相環９３、駆動装置９４、切換装置９５、反射装置９６、及び光積分器９７を具える。光源システム９０と図３に示す光源システム３０との差異は、本実施例では、第１の光シーケンス及び第２の光シーケンスが、色相環９３によって反射し、その後、反射装置９６及び光積分器９７によって集束することである。反射装置９６は、円弧状の反射層９６１に開口９６２を具えた円弧状の反射層９６１（例えば、球状の反射層又は楕円体の反射層）とし得る。開口９６２は、スルーホール又は透過領域とし得る。光源９１からの励起光が、開口９６２を通過することによって色相環９３に作用する前に、集束装置９２によって集束される。色相環９３によって生成される第１の光シーケンス又は第２の光シーケンスは、円弧状の反射層９６１によって反射し、その後、光積分器９７の入口に伝播する。
【００２９】
特定の実施例では、円弧状の反射層９６１は楕円体層であり、１つの焦束点から他の焦束点に光を反射する。このため、色相環９３における第１の光シーケンス又は第２の光シーケンスの放射スポットが、楕円体の反射層９６１の一方の集束点に位置する一方、光積分器９７の入口が、他の集束点に位置する。別の実施例では、円弧状の反射層９６１が、球状層である。球の中心付近であって球の中心に対して対称的な２つの点については、一方の点からの光が球状の反射層によって他の点に反射する。このため、色相環９３における第１の光シーケンス又は第２の光シーケンスの放射スポットが、球状の反射層の一方の点に位置する一方、光積分器９７の入口が、球の中心に対して第１の点とは対称的な他方の点に位置する。
【００３０】
一実施例では、開口９６２及び円弧状の反射層９６１の大きさを調整することによって、開口９６２から漏れ出る第１の光シーケンス又は第２の光シーケンスの光束が、円弧状の反射層９６１によって集束された光束の４分の１を超えず、第１の光シーケンス又は第２の光シーケンスの過剰の光束の喪失が避けられる。開口９６２の面積は、好適には、円弧状の反射層９６１の面積の４分の１を超えない。
【００３１】
図１０及び１１は、本発明の第５の実施例に係る光源システム１００の２つの動作モードを示す。図１０及び図１１に示すように、光源システム１００が、励起光の光源１０１、集束装置１０２、色相環１０３、駆動装置１０４、切換装置１０５、ダイクロイックフィルタ１０６、反射鏡１０７、集束装置１０８、及び光積分器１０９を具える。
【００３２】
図１２は、図１０及び図１１に示す色相環１０３の第１の例の正面図を示す。図１２に示すように、色相環１０３は、第１の領域１１１及び第２の領域１１２を具える。第１の領域１１１は、赤色セグメントＲ、緑色セグメントＧ及び青色セグメントＢを有するよう構成されており、第２の領域は、右眼用の赤色セグメントＲｒ、左眼用の赤色セグメントＲｌ、右眼用の緑色セグメントＧｒ、左眼用の緑色セグメントＧｌ、右眼用の青色セグメントＢｒ、及び左眼用の青色セグメントＢｌを有するよう構成されている。
【００３３】
（図１０に示すような）光源システム１００の第１の動作モードでは、切換装置１０５が、回転軸と直交する方向の適切な位置に色相環１０３及び駆動装置１０４を調整し、光源１０１からの励起光が、ダイクロイックフィルタ１０６を通過した後に第１の領域１１１に作用し、光点１１３を形成する。色相環１０３が駆動装置１０４によって駆動されてその回転軸を中心として回転するときに、第１の領域の赤色セグメントＲ、緑色セグメントＧ、青色セグメントＢが、異なる時間で励起光に露光し、赤色、青色及び緑色光を含む光が順に生成され、赤色、青色及び緑色光の第１の光シーケンスをもたらす。第１の領域からの光は、各セグメントによってそれぞれ反射し、励起光とは反対の方向に伝播する第１の光シーケンスを形成する。第１の光シーケンスは、ダイクロイックフィルタ１０６及び反射鏡１０７によって反射し、その後、集束装置１０８によって集束且つ伝達され、色相環１０３の第２の領域１１２の外側を通過した後、図１２の仮想点１１４として示される位置で、最終的に光積分器１０９に入る。図１０に示す例では、光が色相環１０３の面と交わる位置１１４が、色相環１０３の物理的構造の外側に位置する。代替的に、位置１１４が、色相環１０３の物理的領域の内側に位置してもよく、色相環が、光点１１４が交差する環状領域で無色透明である（波長変換材料又はカラーフィルタを有しない）。結果として、赤色、緑色及び青色の第１の光シーケンスが光源システム１００によって周期的に生成される。
【００３４】
（図１１に示すような）光源システム１００の第２の動作モードでは、切換装置１０５が、回転軸１０６に直交する方向の別の適切な位置に色相環１０３及び駆動装置１０４を調整し、光源１０１からの励起光が、ダイクロイックフィルタ１０６を通過した後に第１の領域１１１に作用し、光点１１５（図１２参照）を形成する。色相環１０４が、駆動装置１０４によって駆動される回転軸を中心として回転する時に、赤色セグメントＲ、緑色セグメントＧ及び青色セグメントＢが異なる時間で励起光に露光され、赤色、青色及び緑色光を含む光が順に生成され、赤色、青色及び緑色光の第１の光シーケンスをもたらす。第１の領域からの光は、各セグメントによってそれぞれ反射し、励起光とは反対の方向に伝播する第１の光シーケンスを形成する。第１の光シーケンスは、ダイクロイックフィルタ１０６及び反射鏡１０７によって反射し、その後、集束装置１０８によって集束且つ伝達され、（図１２の光点１１６として示すように）色相環１０３の第２の領域１１２に作用する。第１の光シーケンスは、右眼用の赤色セグメントＲｒ、左眼用の赤色セグメントＲｌ、右眼用の緑色セグメントＧｒ、左眼用の緑色セグメントＧｌ、右眼用の青色セグメントＢｒ、及び左眼用の青色セグメントＢｌに順に作用し、右眼用の赤色光、左眼用の赤色光、右眼用の緑色光、左眼用の緑色光、右眼用の青色光、及び左眼用の青色光を順に生成する。このため、右眼用及び左眼用の光を含む第２の光シーケンスが、光源システム１００によって周期的に生成される。
【００３５】
この実施例では、第１の光シーケンスの特定のカラー光が、第２の領域の右眼用及び左眼用の対応するカラーセグメントに作用するため、第２の領域の右眼用及び左眼用のセグメントは、波長変換材料を有する必要がなく、代わりに、第２の領域が、対応するカラーダイクロイックフィルタ又は偏光子を有する。さらに、第２の領域１１２の異なるカラーを具えた右眼用及び左眼用のセグメントの角度分布及び位置分布が、対応するカラーを具えたセグメントの角度分布及び位置分布に対応する。例えば、励起光によって形成される第１の領域１１１の光点１１５、フィルタ１０６、反射器１０７及びレンズ１０８を通過
した後に第１の光シーケンスによって形成される第２の領域の光点１１６が、色相環１０３の回転軸の両側に位置する。２つの光点は、色相環１０３の表面の回転軸に対して１８０度の角度を形成する。さらに、右眼用及び左眼用の同じカラーセグメント（例えば、Ｒｒ及びＲｌ）に関する組み合わせ角度範囲が、第１の領域の対応するカラーセグメント（例えば、Ｒ）の角度範囲に等しく、反対側の角度に位置する。代替的に、第１の領域１１１及び第２の１１２が、第１の光シーケンス及び／又は第２の光シーケンスが透過又は反射し得るように、構成される。
【００３６】
図１３は、図１０及び図１１のシステムで使用される色相環１０３の第２の例の正面図を示す。図１３に示すように、色相環１０３は、第１の領域１２１、第２の領域１２２及び第３の領域１２３を具える。第１の領域１２１は、赤色セグメントＲ１、緑色セグメントＧ１、青色セグメントＢ１及び白色セグメントＷを有するよう構成されている。第２の領域は、右眼用の赤色セグメントＲｒ、左眼用の赤色セグメントＲｌ、右眼用の緑色セグメントＧｒ、左眼用の緑色セグメントＧｌ、右眼用の青色セグメントＢｒ、及び左眼用の青色セグメントＢｌを有するよう構成されている。第３の領域１２３は、赤色セグメントＲ１、緑色セグメントＧ１及び青色セグメントＢ１を有するよう構成されている。
【００３７】
（図１０に示すような）光源システム１００の第１の動作モードでは、切換装置１０５が、回転軸に直交する方向の適切な位置に色相環１０３及び駆動装置１０４を調整し、光源１０１からの励起光が、開口１０６を通過した後に第１の領域１２１に作用し、光点１２４（図１３参照）を形成する。色相環１０３が、駆動装置１０４によって駆動される回転軸を中心として回転する時に、第１の領域の赤色セグメントＲ１、緑色セグメントＧ１、青色セグメントＢ１、及び白色セグメントＷが異なる時間で励起光に露光され、赤色、青色、緑色及び白色光が順に生成される。第１の領域からの光は、各セグメントによってそれぞれ反射し、励起光とは反対の方向に伝播する第１の光シーケンスを形成する。第１の光シーケンスは、ダイクロイックフィルタ１０６及び反射鏡１０７によって反射し、集束装置１０８によって集束され色相環１０３の周囲を通過した後に、光積分器１０９に作用する（光と色相環１０３の面との交点の位置を図１３の仮想光点１２５として示す）。結果として、赤色、青色、緑色、白色光の第１の光シーケンスが、光源システム１００によって周期的に生成される。
【００３８】
（図１１に示すような）光源システム１００の第２の動作モードでは、切換装置１０５が、回転軸に直交する方向の別の位置に色相環１０３及び駆動装置１０４を調整し、光源１０１からの励起光が、ダイクロイックフィルタ１０６を通過した後に第３の領域１２３に作用し、光点１２６（図１３参照）を形成する。色相環１０３が、駆動装置１０４によって駆動される回転軸を中心として回転する時に、第３の領域の赤色セグメントＲ２、緑色セグメントＧ２、及び青色セグメントＢ２が異なる時間で励起光に露光され、赤色、緑色及び青色光が順に生成される。第３の領域からの光は、各セグメントによってそれぞれ反射し、励起光とは反対の方向に伝播する第３の光シーケンスを形成する。第３の光シーケンスは、ダイクロイックフィルタ１０６及び反射鏡１０７によって反射し、集束装置１０８によって集束された後に、色相環１０３の第２の領域１２２に作用し、光点１２７を形成する。第３の光シーケンスは、第２の領域の右眼用の赤色セグメントＲｒ、左眼用の赤色セグメントＲｌ、右眼用の緑色セグメントＧｒ、左眼用の緑色セグメントＧｌ、右眼用の青色セグメントＢｒ、及び左眼用の青色セグメントＢｌにそれぞれ作用し、右眼用の赤色光、左眼用の赤色光、右眼用の緑色光、左眼用の緑色光、右眼用の青色光、及び左眼用の青色光をもたらす。結果として、右眼用及び左眼用の光を含む第２の光シーケンスが、光源システム１００によって周期的に生成される。
【００３９】
さらに、本実施例では、光源システム１００が、第３の動作モードを有する。光源システム１００の第３の動作モードでは、切換装置１０５が、回転軸に直交する方向の別の位置に色相環１０３及び駆動装置１０４を調整し、光源１０１からの励起光が、開口１０６を通過した後に第３の領域１２２に作用し、光点１２８を形成する。色相環１０３が、駆動装置１０４によって駆動される回転軸を中心として回転する時に、第３の領域１２３の赤色セグメントＲ２、緑色セグメントＧ２、及び青色セグメントＢ２が異なる時間で励起光に露光され、赤色、緑色及び青色光が順に生成される。第３の領域からの光は、各セグメントによってそれぞれ反射し、励起光とは反対の方向に伝播する第３の光シーケンスを形成する。第３の光シーケンスは、ダイクロイックフィルタ１０６及び反射鏡１０７によって反射し、集束装置１０８によって集束され色相環１０３を通過した後に、光積分器１０９に作用する（光と色相環１０３の面との交点の位置を図１３の仮想光点１２９として示す）。結果として、赤色、青色、緑色光の第３の光シーケンスが、光源システム１００によって周期的に生成される。
【００４０】
図１４及び図１５は、本発明の第６の実施例に係る２つの動作モードを示す。図１４及び図１５に示すように、光源システム１４０は、励起光の光源１４１、集束光学素子１４２、色相環１４３、駆動装置１４４、切換装置１４５、反射装置１４６及び光積分器１４７を具える。反射装置１４６は、開口１４６２を具えた円弧状の反射層１４６１を含む。
【００４１】
本実施例の光源システム１４０と図１０及び図１１に示す光源システム１００との間の差異は、反射装置１４６が、図１０及び１１のダイクロイックフィルタ１０６及び反射鏡１０７の代わりに使用されることである。反射装置１４６の動作原理は、図９の実施例及び既に詳述した反射装置８６の動作原理と同じである。
【００４２】
図１６は、図１４及び図１５に示すシステムで使用される色相環１４３の第１の例の正面図を示す。図１５に示すように、色相環１４３が、第１の領域１５１及び第２の領域１５２を具える。第１の領域１５１は、赤色セグメントＲ、緑色セグメントＧ、青色セグメントＢ及び白色セグメントＷを有するよう構成されている。第２の領域１５２は、右眼用の赤色セグメントＲｒ、左眼用の赤色セグメントＲｌ、右眼用の緑色セグメントＧｒ、左眼用の緑色セグメントＧｌ、右眼用の青色セグメントＢｒ、及び左眼用の青色セグメントＢｌを有するよう構成されている。
【００４３】
光源システム１４０の第１の動作モードでは、切換装置１４５が、回転軸に直交する方向の図１４に示す適切な位置に色相環１４３及び駆動装置１４４を調整し、光源１４１からの励起光が、開口１４６２を通過した後に第１の領域１５１に作用し、光点１５３を形成する。色相環１４３が、駆動装置１４４によって駆動される回転軸を中心として回転する時に、第１の領域１５１の赤色セグメントＲ、緑色セグメントＧ、及び青色セグメントＢが異なる時間で励起光に露光され、赤色、緑色、青色及び白色光が順に生成される。第１の領域１５１からの光は、各セグメントによってそれぞれ反射し、励起光とは反対の方向に伝播する第１の光シーケンスを形成する。第１の光シーケンスは、円弧状の反射層によって集束され、色相環１０３のエッジの周りを通過した後に、光積分器１０９に反射される（光と色相環１４３の面との交点の位置を図１６の仮想光点１５４として示す）。結果として、赤色、青色、緑色光の第１の光シーケンスが、光源システム１４０によって周期的に生成される。
【００４４】
光源システム１４０の第２の動作モードでは、切換装置１４５が、回転軸に直交する方向の図１５に示す別の位置に色相環１４３及び駆動装置１０４を調整し、光源１４１からの励起光が、第１の領域１５１に作用し、光点１５５を形成する。色相環１４３が、駆動装置１４４によって駆動される回転軸を中心として回転する時に、第１の領域の赤色セグメントＲ、緑色セグメントＧ、及び青色セグメントＢが異なる時間で励起光に露光され、赤色、緑色、青色光が順に生成される。第１の領域１５１からの光は、各セグメントによってそれぞれ反射し、励起光とは反対の方向に伝播する第１の光シーケンスを形成する。第１の光シーケンスは、円弧状の反射層１４６１によって集束され、その後、色相環の第２の領域１５２に反射される（光点１５６として示す）。第１の光シーケンスが、第２の領域１５２の右眼用の赤色セグメントＲｒ、左眼用の赤色セグメントＲｌ、右眼用の緑色セグメントＧｒ、左眼用の緑色セグメントＧｌ、右眼用の青色セグメントＢｒ、及び左眼用の青色セグメントＢｌにそれぞれ作用し、右眼用の赤色光、左眼用の赤色光、右眼用の緑色光、左眼用の緑色光、右眼用の青色光及び左眼用の青色光の生成をもたらす。結果として、右眼用及び左眼用の光を含む第２の光シーケンスが、光源システム１４０によって周期的に生成される。
【００４５】
本実施例では、当然ながら、励起光によって形成される第１の領域１５１の光点１５３及び第１の光シーケンスによって形成される第２の領域１５２の光点１５６が、色相環１５３の回転軸の同じ側に位置し、２つの光点が回転軸に対して０度の角度を形成する。このため、第２の領域１５２の右眼用及び左眼用のカラーセグメント（例えば、セグメントＢｒ及びＢｌ）及び第１の領域１５１の対応するカラーセグメント（例えば、セグメントＢ）は、回転軸の同じ側に位置するはずである。
【００４６】
図１７は、図１４及び図１５に示すシステム１４０で使用される色相環１４３の第２の例の正面図を示す。図１７に示すように、色相環１４３は、第１の領域１６１、第２の領域１６２及び第３の領域１６３を具える。第１の領域１６１は、赤色セグメントＲ１、緑色セグメントＧ１、青色セグメントＢ１、及び白色セグメントＷを有するよう構成されている。第２の領域１６２は、右眼用の赤色セグメントＲｒ、左眼用の赤色セグメントＲｌ、右眼用の緑色セグメントＧｒ、左眼用の緑色セグメントＧｌ、右眼用の青色セグメントＢｒ、及び左眼用の青色セグメントＢｌを有するよう構成されている。第３の領域１６３は、赤色セグメントＲ２、緑色セグメントＧ２、及び青色セグメントＢ２を有するよう構成されている。
【００４７】
図１７に示す色相環を用いた光源システム１４０の第１の動作モードでは、切換装置１４５が、図１４に示す回転軸に直交する方向の適切な位置に色相環１０３及び駆動装置１０４を調整し、光源１４１からの励起光が、開口１４６２を通過した後に第１の領域１６１に作用し、光点１６４を形成する。色相環１４３が、駆動装置１６４によって駆動される回転軸を中心として回転する時に、第１の領域１６１の赤色セグメントＲ１、緑色セグメントＧ１、青色セグメントＢ１、及び白色セグメントＷが異なる時間で励起光に露光され、赤色、緑色、青色及び白色光が順に生成される。第１の領域からの光は、各セグメントによってそれぞれ反射し、励起光とは反対の方向に伝播する第１の光シーケンスを形成する。第１の光シーケンスは、円弧状の反射層１４６１によって集束され、その後、色相環１４３の外側の周りを通過することによって光積分器１４７に反射する（光と色相環の面との交点の位置を仮想光点１６５として示す）。結果として、赤色、青色、緑色、白色光の第１の光シーケンスが、光源システム１４０によって周期的に生成される。
【００４８】
光源システム１４０の第２の動作モードでは、切換装置１４５が、図１５示す回転軸に直交する方向の別の適切な位置に色相環１４３及び駆動装置１４４を調整し、光源１４１からの励起光が、開口１４６２を通過した後に第３の領域１６３に作用し、光点１６６を形成する。色相環１６３が、駆動装置１６４によって駆動される回転軸を中心として回転する時に、第３の領域１６３の赤色セグメントＲ２、緑色セグメントＧ２、及び青色セグメントＢ２が異なる時間で励起光に露光され、赤色、緑色、青色光が順に生成される。第３の領域１６３からの光は、各セグメントによってそれぞれ反射し、励起光とは反対の方向に伝播する第３の光シーケンスを形成する。第３の光シーケンスは、円弧状の反射層１４６２によって集束且つ反射され、色相環１４３の第２の領域１６２に作用して、光点１６７を形成する。第３の光シーケンスは、第２の領域の右眼用の赤色セグメントＲｒ、左眼用の赤色セグメントＲｌ、右眼用の緑色セグメントＧｒ、左眼用の緑色セグメントＧｌ、右眼用の青色セグメントＢｒ、及び左眼用の青色セグメントＢｌに順次作用し、右眼用の赤色光、左眼用の赤色光、右眼用の緑色光、左眼用の緑色光、右眼用の青色光、左眼用の青色光の生成をもたらす。結果として、右眼用及び左眼用の光を含む第２の光シーケンスが、光源システム１４０によって周期的に生成される。
【００４９】
さらに、本実施例では、光源システム１４０が、第３の動作モードを有する。光源システム１４０の第３の動作モードでは、切換装置１４５が、この場合も回転軸に直交する方向の別の適切な位置に色相環１４３及び駆動装置１４４を調整し、光源１４１からの励起光が、開口１４６２を通過した後に第３の領域１６３に作用し、光点１６８を形成する。色相環１４３が、駆動装置１４４によって駆動される回転軸を中心として回転する時に、第３の領域１６３の赤色セグメントＲ２、緑色セグメントＧ２、及び青色セグメントＢ２が異なる時間で励起光に露光され、赤色、緑色、青色光が順に生成される。第３の領域からの光は、各セグメントによってそれぞれ反射し、励起光とは反対の方向に伝播する第３の光シーケンスを形成する。第３の光シーケンスは、円弧状の反射層１４６１によって集束且つ反射され、色相環１４３の周りを通過した後に光積分器１４７に作用する（光と色相環１４３の面との交点の位置を図１７の仮想光点１６９として示す）。結果として、赤色、青色、緑色光の第３の光シーケンスが、光源システム１４０によって周期的に生成される。
【００５０】
図１８及び図１９は、本発明の第７の実施例に係る光源システムの２つの動作モードを示す。図１８及び図１９に示すように、光源システム１８０は、光源１８１、集束光学素子１８２、第１の色相環１８３ａ、第２の色相環１８３ｂ、駆動装置１８４、切換装置１８５、反射装置１８６、及び光積分器１８７を具える。反射装置１８６は、円弧状の反射層に開口１８６２を具えた円弧状の反射層１８６１を含む。
【００５１】
本実施例の光源システム１８０と図１４及び図１５に示す光源システム１４０との間の差異は、第１の色相環１８３ａ及び第２の色相環１８３ｂが、光源システム１４０の色相環１４３の代わりに使用されていることである。図２０及び２１に示すように、第１の色相環１８３ａが、周方向に沿って赤色セグメントＲ、緑色セグメントＧ、及び青色セグメントＢを含む環状領域である第１の領域１９１を有しており、第２の色相環１８３ｂが、周方向に沿って右眼用の赤色セグメントＲｒ、左眼用の赤色セグメントＲｌ、右眼用の緑色セグメントＧｒ、左眼用の緑色セグメントＧｌ、右眼用の青色セグメントＢｒ、及び左眼用の青色セグメントＢｌを含むこの場合も環状領域である第２の領域１９２を有する。
【００５２】
本実施例では、第１の色相環１８３ａ及び第２の色相環１８３ｂが、同軸且つ互いに平行に配置されており、駆動装置１８４による駆動により互いに同期して回転する。第１の色相環１８３ａ、第２の色相環１８３ｂ及び駆動装置１８４を、第１の色相環１８３ａ及び第２の色相環１８３ｂの回転軸に直交する方向に切換装置１８５によって移動させ得る。
【００５３】
図１８に示す光源システム１８０の第１の動作モードでは、光源１８１からの励起光が、第１の領域１９１に作用して光点１９３（図２０参照）を形成し、その後、第１の色相環１８３ａによって生成される第１の光シーケンスが、第２の色相環１８３ｂのエッジの周りを通過した後に光積分器１４７に作用する（光と第２の色相環１８３ｂの面との交点の位置を仮想光点１９４として示す）。結果として、第１の光シーケンスが、光源システム１８０によって周期的に生成される。
【００５４】
図１９に示す光源システム１８０の第２の動作モードでは、光源１８１からの励起光が、第１の領域１９１に作用して光点１９５を形成し、その後、第１の色相環１８３ａからの第１の光シーケンスが、第２の色相環１８３ｂの第２の領域１９２に作用する（光点１９６として示す）。結果として、第２の光シーケンスが、光源システム１８０によって周期的に生成される。
【００５５】
図２２は、本発明の第８の実施例に係る光源システムを示す。図２２に示すように、光源システム２２０は、光源２２１、集束光学素子２２２、第１の色相環２２３ａ、第２の色相環２２３ｂ、第１の駆動装置２２４ａ、第２の駆動装置２２４ｂ、切換装置２２５、反射装置２２６、及び光積分器２２７を具える。
【００５６】
本実施例の光源システム２２０と図１８及び図１９に示す光源システム１８０との間の差異は、第１の色相環２２３ａが第１の駆動装置２２４ａによって駆動される一方、第２の色相環２２３ｂが第２の駆動装置２２４ｂによって駆動されることである。第２の色相環２２３ｂを第２の色相環２２３ｂの回転軸と直交する方向に切換装置２２５によって移動させることができ、光源システム２２０の第１の動作モードと第２の動作モードとの間の切換をもたらす。
【００５７】
代替的な実施例では、もう１つの切換装置（図示せず）を第１の色相環２２３ａ及び第１の駆動装置２２４ａに配置でき、光源システムの第１の動作モード及び第２の動作モードを第１の色相環２２３ａの回転軸に直交する方向の第１の色相環２２３ａの移動により切り換え得る。
【００５８】
図示した色相環の例では、第１の領域、第２の領域及び第３の領域が１つの色相環に配置されているが；当然ながら、代替的に、カラーセグメントを、それぞれ異なる駆動装置によって駆動される異なる色相環に分けて配置し得る。
【００５９】
また、本発明は、上記の実施例のいずれかを具える画像投影システムを提供する。
【００６０】
本発明の精神から逸脱することなしに、本発明の多色光源システム及び関連する画像投影装置に様々な修正及び変更を行い得ることが、当業者にとって明らかである。したがって、本発明は添付の特許請求の範囲及びそれに相当するものの範囲内にある修正及び変更をカバーすることを意図するものである。
【図１】
0006392934.tif 000002
【図２】
0006392934.tif 000003
【図３】
0006392934.tif 000004
【図４】
0006392934.tif 000005
【図５】
0006392934.tif 000006
【図６】
0006392934.tif 000007
【図７】
0006392934.tif 000008
【図８】
0006392934.tif 000009
【図９】
0006392934.tif 000010
【図１０】
0006392934.tif 000011
【図１１】
0006392934.tif 000012
【図１２】
0006392934.tif 000013
【図１３】
0006392934.tif 000014
【図１４】
0006392934.tif 000015
【図１５】
0006392934.tif 000016
【図１６】
0006392934.tif 000017
【図１７】
0006392934.tif 000018
【図１８】
0006392934.tif 000019
【図１９】
0006392934.tif 000020
【図２０】
0006392934.tif 000021
【図２１】
0006392934.tif 000022
【図２２】
0006392934.tif 000023